(57)【要約】【課題】本体を安定して把持することができると共にグリップベルトの取付部の強度向上を図る。【解決手段】本体１００の後部に配設されるバッテリカバー１０６には、バッテリ１０９を収納するバッテリ収納部１０２及びグリップベルト１０５を取り付けるグリップベルト取付部１０３が一体的に形成される。グリップカバー１０７は本体１００の右側部に配設される。グリップベルト取付部１０３は、上側基部１０３ａと下側基部１０３ｂとでバッテリカバー１０６に連結されて貫通穴１２２を形成する。本体１００にグリップカバー１０７が固定されることで、グリップベルト取付部１０３を露出させた状態で、バッテリカバー１０６のうちグリップベルト取付部１０３の上側、下側、前側に近接した被押え部１４１、１４２、１４３をグリップカバー１０７の押え部１３１、１３２、１３３が押える。【選択図】図７
2013130626.tif 000002
【特許請求の範囲】
【請求項１】
本体と、
バッテリを収納するバッテリ収納部、及びグリップベルトを取り付けるためのベルト取付部が共に一体的に形成され、前記本体の後部に配設される第１のカバー部材と、
前記本体の側部に配設される第２のカバー部材とを有し、
前記ベルト取付部は、上側基部と下側基部とで前記第１のカバー部材に連結されて前記グリップベルトが挿通される貫通穴を形成するよう形成され、
前記第１のカバー部材のうち前記ベルト取付部の上側、下側、前側に近接した各部分をそれぞれ上側被押え部、下側被押え部、前側被押え部とし、前記本体に前記第２のカバー部材が固定されることで、前記ベルト取付部を外観に露出させた状態で前記第２のカバー部材が前記上側被押え部、前記下側被押え部及び前記前側被押え部を押えることを特徴とする撮像装置。
【請求項２】
前記ベルト取付部は、側面視で前記上側基部から前記下側基部までを長手方向として延設され、前記第２のカバー部材は、前記本体に固定されるための固定部として少なくとも第１の固定部及び第２の固定部を有し、前記第１の固定部及び前記第２の固定部は、前記ベルト取付部をその長手方向に挟む位置に配置されることを特徴とする請求項１記載の撮像装置。
【請求項３】
前記第１の固定部及び前記第２の固定部はいずれも、前記ベルト取付部の側面視における幅中心を通り且つ前記ベルト取付部の長手方向に平行な直線に対し前側に位置することを特徴とする請求項２記載の撮像装置。
【請求項４】
前記第２のカバー部材を構成する構成部品が、前記第２のカバー部材の内側において前記ベルト取付部の下方に配設されることを特徴とする請求項１〜３のいずれか1項に記載の撮像装置。
【発明の詳細な説明】
【技術分野】
【０００１】
本発明は、グリップベルトを取り付けるためのベルト取付部を有する撮像装置に関する。
【背景技術】
【０００２】
近年のデジタルビデオ等の撮像装置においては、小型化が進む一方で、撮像装置の本体の強度を向上させたものが開発されている。本体を把持するためのグリップベルトの取付構造に関しても同様で、取付構造を大型化することなく強度を向上させた構造の検討が必要とされてきている。例えば、特許文献１の撮像装置では、三脚用固定部の一端を用いてベルト取付部を形成している。
【０００３】
近年のビデオカメラの形状は、上下・左右に比べて前後の長さが長いいわゆる横型のビデオカメラが一般的である。その把持形態としては、撮影者の右手によってビデオカメラの右側部を把持し、その右手の甲をビデオカメラの右側部に設けられたグリップベルトで支えることが一般的である。そのため、グリップベルトはビデオカメラ右側部の中央付近において前後方向に延設配置することがビデオカメラを安定的に把持するためには望ましい。
【先行技術文献】
【特許文献】
【０００４】
【特許文献１】特開２００２−１９６４１２号公報
【発明の概要】
【発明が解決しようとする課題】
【０００５】
ところが、通常、三脚固定部は製品の底面に配置される。そのため、特許文献１の装置のように三脚用固定部の一端にベルト取付部を構成すると、グリップベルトの片端がビデオカメラの底面に位置し、グリップベルトは前後方向よりむしろ上下方向に延設配置されることになる。そのため、横型のビデオカメラにおいては非常に安定感に乏しいグリップベルトとなるという問題があった。
【０００６】
一方、ビデオカメラの右側部に配置されるグリップカバーにベルト取付部を一体的に形成したとすると、グリップベルトからの荷重がグリップカバーに直接加わるため、取付部の肉厚を増す等の工夫をしないと引っ張り力に弱いという問題があった。
【０００７】
本発明は上記従来技術の問題を解決するためになされたものであり、その目的は、本体を安定して把持することができると共にグリップベルトの取付部の強度向上を図ることができる撮像装置を提供することにある。
【課題を解決するための手段】
【０００８】
上記目的を達成するために本発明の撮像装置は、本体と、バッテリを収納するバッテリ収納部、及びグリップベルトを取り付けるためのベルト取付部が共に一体的に形成され、前記本体の後部に配設される第１のカバー部材と、前記本体の側部に配設される第２のカバー部材とを有し、前記ベルト取付部は、上側基部と下側基部とで前記第１のカバー部材に連結されて前記グリップベルトが挿通される貫通穴を形成するよう形成され、前記第１のカバー部材のうち前記ベルト取付部の上側、下側、前側に近接した各部分をそれぞれ上側被押え部、下側被押え部、前側被押え部とし、前記本体に前記第２のカバー部材が固定されることで、前記ベルト取付部を外観に露出させた状態で前記第２のカバー部材が前記上側被押え部、前記下側被押え部及び前記前側被押え部を押えることを特徴とする。
【発明の効果】
【０００９】
本発明によれば、本体を安定して把持することができると共にグリップベルトの取付部の強度向上を図ることができる。
【図面の簡単な説明】
【００１０】
【図１】本発明の一実施の形態に係る撮像装置の後側からの斜視図である。
【図２】同撮像装置の前側からの斜視図である。
【図３】グリップベルト取り付け前、後のビデオカメラの右側面図である。
【図４】バッテリカバーの斜視図、前面図である。
【図５】バッテリカバーの斜視図、グリップベルトを取り外した状態のビデオカメラの右側面図である。
【図６】グリップカバーを内側から見た斜視図である。
【図７】バッテリカバー及びグリップカバーの分解斜視図、グリップベルト取付部の周辺の右側面図である。
【発明を実施するための形態】
【００１１】
以下、本発明の実施の形態を図面を参照して説明する。
【００１２】
図１、図２は、本発明の一実施の形態に係る撮像装置のそれぞれ後側、前側からの斜視図である。本撮像装置として、上下・左右に比べ前後方向が長い、いわゆる横型のビデオカメラを例示する。
【００１３】
以降、前後、上下、左右の方向については、被写体に向かう撮影者を基準とし、被写体側を正面（前側）とする。このビデオカメラは、グリップベルト１０５に右手を通して把持する構成となっている。
【００１４】
本ビデオカメラの本体１００は、撮像部１０１、バッテリ収納部１０２、グリップベルト取付部１０３、前側取り付け部１０４、バッテリカバー１０６、グリップカバー１０７、操作部１０８を有する。本体１００にはグリップベルト１０５、バッテリ１０９が取り付けられる。バッテリカバー１０６は第１のカバー部材として機能し、グリップカバー１０７は第２のカバー部材として機能する。
【００１５】
撮像部１０１（図２）は、被写体を撮像するためのレンズや撮像した画像を電気信号に変換するセンサ等を含んでいるユニットであり、被写体に臨む形で配置されている。バッテリ収納部１０２（図１）は、本体１００の後部に設けられ、バッテリ１０９を取り付けるための後側に開口する凹部を有する。バッテリ１０９は、本体１００に電源を供給するリチウムイオン電池等の二次電池であり、バッテリ収納部１０２に対して着脱可能である。
【００１６】
バッテリ収納部１０２がビデオカメラの最背面部に配置されるので、バッテリ１０９をビデオカメラの後部外側に露出させて取り付けることが可能となる。これにより、ビデオカメラの内部空間を有効に使え、製品の小型化を実現することが可能となる。また、バッテリ１０９は本体１００の外部に露出した状態で取り付けられるため、例えば容量や外形サイズの異なるバッテリも取り付けることが可能であり、使い勝手の良いものとなっている。
【００１７】
グリップカバー１０７は、本体１００の右側部に配設されてビデオカメラの外観を構成するカバーの１つであり、撮影者がビデオカメラを把持する時に手の内側となる部位である。
【００１８】
グリップベルト取付部１０３（図１）は、本体１００の右側部の後部に設けられ、グリップベルト１０５の後部を取り付けるための貫通穴１２２（図４（ｂ）参照）を有するブリッジ状乃至アーチ状の部位である。前側取り付け部１０４（図２）は、本体１００の右側部の前部に設けられ、グリップベルト１０５の前部を取り付けるための貫通穴を有するブリッジ状乃至アーチ状の部位である。グリップベルト１０５は、そのベルト状部分がグリップベルト取付部１０３と前側取り付け部１０４の２箇所に掛けまわされて、本体１００の右側部において略前後方向に延設配置される。
【００１９】
撮影者は、右手をグリップカバー１０７とグリップベルト１０５との間に挿入すると、撮影者の右手の甲をグリップベルト１０５が支える。これにより、撮影者はビデオカメラを安定して把持することができる。グリップベルト１０５は撮影者の手の大きさに合わせてそのベルト長を変更できるようになっている。
【００２０】
グリップベルト１０５のベルト状部分には、ストラップ金具１０５ａが設けられている。ストラップ金具１０５ａはショルダーストラップ等を取り付ける部位であり、グリップベルト１０５のグリップベルト取付部１０３に近い側の根元に配置されている。
【００２１】
バッテリカバー１０６（図１）は、本体１００の外観を構成するカバーの１つであり、バッテリカバー１０６には上述したバッテリ収納部１０２及びグリップベルト取付部１０３が一体的に形成される。操作部１０８は、撮影者から撮影の開始及び停止の入力を受け付けるボタンである。
【００２２】
次にグリップベルト取付部１０３と前側取り付け部１０４の位置関係について図３を用いて説明する。
【００２３】
図３（ａ）、（ｂ）は、ビデオカメラの右側面図である。図３（ａ）はグリップベルト１０５の取り付け前、図３（ｂ）はグリップベルト１０５の取り付け後を示している。
【００２４】
図３（ａ）に示すように、前側取り付け部１０４は、本体１００の右側部前部の底面近傍に配置されている。グリップベルト取付部１０３は、本体１００の右側部後部の上下方向中央近傍に配置され、操作部１０８より低く且つ操作部１０８よりも前側の位置に配置される。
【００２５】
このような配置により、グリップベルト取付部１０３と前側取り付け部１０４とを結ぶ直線Ｌ２は撮像部１０１の光軸１１１に対して前方に行くに従って下方となるように傾斜している。側面視において直線Ｌ２と光軸１１１とが前側において成す鋭角は角度αである。また、グリップベルト取付部１０３は、側面視において、直線Ｌ２に対して直交する方向（図３（ａ）の直線Ｌ１方向）を長手方向として延設される形状となっている。
【００２６】
従って、グリップベルト１０５は、光軸１１１に対して角度α傾いた角度で本体１００に対して取り付く。横型のビデオカメラの保持姿勢は一般的に、グリップベルト取付部１０３の下側で親指と人差し指の根元の位置を決め、親指の先端を操作部１０８に置き、残り４本の指を本体１００の上面に当てて把持するものである。そのため、グリップベルト１０５が光軸１１１に対して角度αだけ傾いていることにより、撮影者は手首をひねらずに本体１００を把持することができ、自然で安定的に光軸１１１を被写体に向けることが可能となる。
【００２７】
また、本体１００にストラップを取り付ける際は、ストラップ金具１０５ａに対して取り付けする。ストラップ金具１０５ａはグリップベルト取付部１０３の近傍に配置されているため、ストラップを引っ張った時に受ける力の大部分はグリップベルト取付部１０３にかかる。そのため、グリップベルト取付部１０３にはストラップの引っ張りに対する強度も求められる。
【００２８】
ストラップはストラップ金具１０５ａに対して自由に動くことができるので、グリップベルト取付部１０３にはあらゆる方向から力が加えられることとなる。従って、グリップベルト取付部１０３にはあらゆる方向からの力に対しても対向できるような強固な構造であることが望まれる。
【００２９】
次に、バッテリカバー１０６の構成について詳細に説明する。図４（ａ）、（ｂ）はそれぞれバッテリカバー１０６の斜視図、前面図である。バッテリカバー１０６の前面（図４（ｂ））は裏面、乃至内側面でもある。
【００３０】
図４（ａ）に示すように、バッテリカバー１０６はバッテリ収納部１０２及びグリップベルト取付部１０３を樹脂等にて一体的に形成している部品である。バッテリ収納部１０２は、バッテリ１０９を装着収納するために箱形の多面体の形状をしているため、非常に頑丈な構造となっている。
【００３１】
図４（ｂ）に示すように、グリップベルト取付部１０３は、バッテリカバー１０６の一部としてバッテリカバー１０６から右側方に突出形成される。すなわち、グリップベルト取付部１０３は、上側基部１０３ａと下側基部１０３ｂとでバッテリカバー１０６に連結されて貫通穴１２２を形成するようアーチ状乃至ブリッジ状に形成される。従って、グリップベルト取付部１０３は、側面視で上側基部１０３ａから下側基部１０３ｂまでを長手方向として延設される（図３（ａ）参照）。貫通穴１２２はグリップベルト１０５のベルト状部分が挿通可能な大きさを持つ。
【００３２】
このようにグリップベルト取付部１０３を本体１００の外観面からアーチ状に突出させる形態とすることによって、製品内側のスペースを有効に活用でき、本体１００の横方向の小型化に大きく貢献している。
【００３３】
グリップベルト取付部１０３はまた、基部１０３ａ、１０３ｂに対応するバッテリカバー１０６の内側位置で、頑丈なバッテリ収納部１０２に対しリブ１１２によって強固に連結されている。これにより、グリップベルト取付部１０３は、引っ張りによる力を受けたときにはバッテリ収納部１０２と一体になって抵抗するので、非常に強固な構造となっている。また、グリップベルト取付部１０３はバッテリ収納部１０２と同一部品で一体的に構成されているため、従来のようにグリップベルト取付部材を別部材として構成してそれを固定するということが不要となり、製品の小型化が実現可能となる。
【００３４】
次に、グリップベルト取付部１０３周辺のバッテリカバー１０６とグリップカバー１０７とのカバー合わせ形状について図４〜図７を用いて説明する。
【００３５】
図５（ａ）はバッテリカバー１０６の斜視図、図５（ｂ）はグリップベルト１０５を取り外した状態のビデオカメラの右側面図である。図６は、グリップカバー１０７を内側（裏側）から見た斜視図である。図７（ａ）は、バッテリカバー１０６及びグリップカバー１０７の分解斜視図である。図７（ｂ）は、グリップベルト取付部１０３の周辺の右側面図である。
【００３６】
図４（ｂ）、図５（ａ）、図７（ａ）に示すように、バッテリカバー１０６には、グリップベルト取付部１０３の上側、下側、前側にそれぞれ近接（乃至連接）した各部分を上側被押え部１４１、下側被押え部１４２、前側被押え部１４３とする。これらの被押え部１４１〜１４３は、バッテリカバー１０６の単体としては右側面の一部として露出し、グリップベルト取付部１０３はこれらの被押え部１４１〜１４３より右方に突出している。下側被押え部１４２は、バッテリカバー１０６の底部までは延設されておらず、下側被押え部１４２の下方にはバッテリカバー１０６の肉部のない開放された領域がある。すなわち、グリップカバー１０７の内側で且つグリップベルト取付部１０３の下方に、構成部品を配置可能なエリア１１５が生じる（図５（ａ）、（ｂ））。
【００３７】
一方、図５（ｂ）、図６、図７に示すように、グリップカバー１０７の後部は、側面視において後方にコ字状に開口するよう形成される。グリップカバー１０７は、配設後にバッテリカバー１０６の上側被押え部１４１、下側被押え部１４２、前側被押え部１４３を覆うことになる上側押え部１３１、下側押え部１３２、前側押え部１３３を有する。
【００３８】
また、図５（ｂ）、図６に示すように、グリップカバー１０７は、その内側に、着脱自在なカード状記録メディアを本体１００に対して装着するためのカードスロット１１３を備えている。本体１００を把持している手の内側となる位置にカードスロット１１３を配置することによって、撮影中に誤操作で記録メディアを取り出してしまうことを防止でき、撮影機会の損失をすることが無く、非常に使い勝手がよくなる。
【００３９】
図６に示すように、グリップカバー１０７の内側にはさらに、グリップカバー１０７を構成する構成部品として内部構造物１１６が存在する。内部構造物１１６は、カードスロット１１３を覆う蓋の開閉機構を司る構成部品、例えば、回転軸や回転軸を取り付ける板金部品の他、板金部品の位置決め及びグランド接続のための腕部１１６ａ等を含んでいる。内部構造物１１６は、グリップカバー１０７の内側で且つグリップベルト取付部１０３の下方のエリア１１５内に配置することが可能であるので、本体１００の内部での最適配置が可能となり、スペースが有効に活用され、カメラの小型化に寄与する。
【００４０】
図７（ａ）、（ｂ）に示すように、グリップカバー１０７において上側押え部１３１及び下側押え部１３２にはそれぞれ、第１の固定部１１７及び第２の固定部１１８が設けられる。第１の固定部１１７及び第２の固定部１１８は、グリップベルト取付部１０３をその長手方向に挟む位置に配置される。第１の固定部１１７及び第２の固定部１１８はいずれもビス穴を有する締結部である。
【００４１】
グリップカバー１０７は次のようにして本体１００に固定される。まず、バッテリカバー１０６の上側被押え部１４１、下側被押え部１４２、前側被押え部１４３に右方からグリップカバー１０７の上側押え部１３１、下側押え部１３２、前側押え部１３３を被せる。そして、第１の固定部１１７及び第２の固定部１１８のビス穴に締結ビス１１９（図７（ａ））を締め込む。これにより、グリップベルト取付部１０３の上側、下側、前側の周囲３カ所を押さえる形でグリップカバー１０７が固定される。このとき、グリップベルト取付部１０３それ自体は外観に露出する。
【００４２】
グリップベルト取付部１０３の近接した周囲において被押え部１４１〜１４３を押え部１３１〜１３３が押えるので、グリップベルト１０５に加わるどの方向からの力に対しても適切に抗する構造となる。従って、グリップベルト１０５を任意の方向に大きな力で引っ張ったとしても、カバー１０６、１０７間の合わせ部でバッテリカバー１０６が浮き上がることが抑制され、カバー１０６、１０７間の隙間が開くことが防止される。
【００４３】
ここで、図７（ｂ）に示すように、側面視において、グリップベルト取付部１０３の幅領域をその延設方向（長手方向）に延長したエリアをエリア１２０とする。また、直線Ｌ１（図３（ａ）、図７（ｂ））を、グリップベルト取付部１０３の側面視における幅中心を通り且つグリップベルト取付部１０３の長手方向に平行な直線であるとする。第１の固定部１１７及び第２の固定部１１８は共に、エリア１２０の範囲内（内側）に位置し、しかも、直線Ｌ１よりも前側に配置されている。
【００４４】
第１の固定部１１７及び第２の固定部１１８がこのような配置となっているのは以下に示す理由によるものである。
【００４５】
まず、グリップベルト１０５を大きな力で引っ張った際に受ける力はエリア１２０の内側において強く働く。そこで、効率的にグリップベルト取付部１０３の周辺を押さえるためには、第１の固定部１１７及び第２の固定部１１８は、エリア１２０の内側に配置する必要がある。また、グリップベルト１０５を大きな力で引っ張った際に、大きく変形するのはバッテリカバー１０６の開放端側となっている前側である。そのため、エリア１２０の中でも、より前側を押さえることによって効率良く変形を押さえることが可能となる。従って、小型化と強度確保を両立しつつ、安定的にカメラを把持できる構造が実現される。
【００４６】
なお、第１の固定部１１７及び第２の固定部１１８はそれぞれ複数設けてもよい。また、前側押え部１３３にもビス穴付きの固定部を設けてもよい。
【００４７】
本実施の形態によれば、グリップベルト取付部１０３を露出させた状態で、本体１００にグリップカバー１０７が固定される。その際、バッテリカバー１０６のうちグリップベルト取付部１０３の上側、下側、前側に近接した被押え部１４１、１４２、１４３をグリップカバー１０７の押え部１３１、１３２、１３３が押える構造とした。これにより、本体１００を安定して把持することができると共にグリップベルト取付部１０３の強度向上を図ることができる。
【００４８】
また、第１の固定部１１７及び第２の固定部１１８は、グリップベルト取付部１０３をその長手方向に挟む位置に配置される。しかも、側面視におけるグリップベルト取付部１０３の側面視における幅中心を通り且つグリップベルト取付部１０３の長手方向に平行な直線Ｌ１に対し前側に位置する。これらにより、バッテリカバー１０６の変形を効率良く抑え、一層の強度向上につながる。
【００４９】
また、グリップカバー１０７を構成する構成部品（内部構造物１１６）が、グリップカバー１０７の内側においてグリップベルト取付部１０３の下方に配設されるので、スペースを有効活用してカメラの小型化に寄与する。
【００５０】
なお、本発明が適用される撮像装置は、ビデオカメラに限られず、静止画を撮影可能な撮像装置であってもよい。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５２】
１０２  バッテリ収納部
１０３  グリップベルト取付部
１０３ａ、１０３ｂ  基部
１０５  グリップベルト
１０６  バッテリカバー（第１のカバー部材）
１０７  グリップカバー（第２のカバー部材）
１１７、１１８  固定部
１２２  貫通穴
１３１、１３２、１３３  押え部
１４１、１４２、１４３  被押え部
【図１】
2013130626.tif 000003
【図２】
2013130626.tif 000004
【図３】
2013130626.tif 000005
【図４】
2013130626.tif 000006
【図５】
2013130626.tif 000007
【図６】
2013130626.tif 000008
【図７】
2013130626.tif 000009